(57)【要約】【課題】メディア転送方式の異なる複数のメディア端末を収容可能で、かつメディア転送を実施する度にそのメディア転送方式を判定するための負荷がかからないこと。【解決手段】モード切替部１１に一括固定モードが入力されると、同時に入力された転送モデルがメディア転送機能部１４に転送されて当該転送モデルによるメディア転送が実施され、ポート指定モードが入力されると、同時に入力されたメディア信号が入力するポートおよびこれに対応する転送モデルがメディア転送機能部１４に転送され、そのうち転送すべきメディア信号が入力されたポートに対応する転送モデルによるメディア転送が実施され、自動モードが入力されると、ＳＩＰスタック制御機能部１２およびＢ２ＢＵＡ処理機能部１３によりＳＩＰ／ＳＤＰ信号が解析され適切な転送モデルが決定されてメディア転送機能部１４に転送され、当該転送モデルによるメディア転送が実施される。【選択図】図１
2009044314.tif 000002
【特許請求の範囲】
【請求項１】
コンピュータを用いて、複数の異なるメディア転送方式によるメディア転送を実施するメディア転送方法であって、
前記コンピュータに、
一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付けるステップと、
一括固定モードが選択入力された場合、前記指定入力されたメディア転送方式によるメディア転送を実施するステップと、
ポート指定モードが選択入力された場合、メディア信号が入力するポートに対応して前記指定入力されたメディア転送方式によるメディア転送を実施するステップと、
自動モードが選択入力された場合、メディア転送前のＳＩＰ／ＳＤＰ信号を解析してメディア転送方式を決定し、該決定したメディア転送方式に従ってＳＤＰ部からメディア転送に必要な転送情報を抽出し、前記メディア転送方式および転送情報によるメディア転送を実施するステップとを実行させる
ことを特徴とするメディア転送方法。
【請求項２】
複数の異なるメディア転送方式によるメディア転送を実施するメディア転送装置であって、
一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付けるモード選択部と、
一括固定モードが選択入力された場合、前記指定入力されたメディア転送方式によるメディア転送を実施する一括固定モードメディア転送手段と、
ポート指定モードが選択入力された場合、メディア信号が入力するポートに対応して前記指定入力されたメディア転送方式によるメディア転送を実施するポート指定モードメディア転送手段と、
自動モードが選択入力された場合、メディア転送前のＳＩＰ／ＳＤＰ信号を解析してメディア転送方式を決定し、該決定したメディア転送方式に従ってＳＤＰ部からメディア転送に必要な転送情報を抽出し、前記メディア転送方式および転送情報によるメディア転送を実施する自動モードメディア転送手段とを具備する
ことを特徴とするメディア転送装置。
【請求項３】
複数の異なるメディア転送方式によるメディア転送を実施するメディア転送装置であって、
モード切替部と、ＳＩＰスタック制御機能部と、Ｂ２ＢＵＡ制御機能部と、メディア転送機能部とよりなり、
モード切替部は、一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付け、一括固定モードが選択入力された場合は指定入力されたメディア転送方式をメディア転送機能部に転送するとともに「０」に設定したフラグをＳＩＰスタック制御機能部およびメディア転送機能部に転送し、ポート指定モードが選択入力された場合は指定入力されたメディア信号が入力するポートおよびこれに対応するメディア転送方式をメディア転送機能部に転送するとともに「１」に設定したフラグをＳＩＰスタック制御機能部およびメディア転送機能部に転送し、自動モードが選択入力された場合は「２」に設定したフラグをＳＩＰスタック制御機能部およびメディア転送機能部に転送する機能を備え、
ＳＩＰスタック制御機能部は、「２」に設定したフラグを受信した場合のみ、メディア転送前のＳＩＰ／ＳＤＰ信号をＢ２ＢＵＡ制御機能部へ転送する機能を備え、
Ｂ２ＢＵＡ制御機能部は、ＳＩＰスタック制御機能部から転送されてきたＳＩＰ／ＳＤＰ信号よりＳＤＰ部を抽出し、該抽出したＳＤＰ部の情報を解析してメディア転送方式を決定し、該決定したメディア転送方式に応じて前記ＳＤＰ部からメディア転送に必要な転送情報を抽出し、該抽出した転送情報を前記決定したメディア転送方式とともにメディア転送機能部に転送する機能を備え、
メディア転送機能部は、「０」に設定したフラグを受信した場合は、モード切替部から転送されてきたメディア転送方式によるメディア転送を実施し、「１」に設定したフラグを受信した場合は、モード切替部から転送されてきたメディア信号が入力するポートおよびこれに対応するメディア転送方式のうち転送すべきメディア信号が入力されたポートに対応するメディア転送方式によるメディア転送を実施し、「２」に設定したフラグを受信した場合は、Ｂ２ＢＵＡ制御機能部から転送されてきたメディア転送方式および転送情報によるメディア転送を実施する機能を備える
ことを特徴とするメディア転送装置。
【請求項４】
コンピュータに、請求項３に記載の各機能を実現させるためのプログラム。
【発明の詳細な説明】
【技術分野】
【０００１】
この発明は、ホームネットワーク（宅内ＮＷ）同士の間や宅内ＮＷと各種のサーバとの間で、音声情報、画像情報、映像情報等の情報パケット（以下、メディアまたはメディア信号と称す。）を転送する技術、特に複数のメディア転送方式に対応し、かつ処理負荷を低減したメディア転送技術に関する。
【背景技術】
【０００２】
従来より、宅内ＮＷに設置され、当該宅内ＮＷ内に収容された音声通話端末、画像通話端末、映像配信端末等の端末装置（メディア端末）に対し、音声通話端末間での音声通話サービス、画像通話端末間での画像通話（音声を含む。）サービス、映像配信サーバから配信される映像（音声を含む。）を映像配信端末で視聴する映像配信サービス等の、各種のメディアサービスを提供するメディア転送装置が知られている（例えば、特許文献１参照）。
【０００３】
図２は従来のメディア転送装置を用いたメディアサービスの一例、ここでは音声通話サービスの例を示すもので、図中、２０は宅内ＮＷ、３０は音声通話サービスの対向側の宅内ＮＷ、４０は外部ＮＷである。
【０００４】
宅内ＮＷ２０，３０にはそれぞれメディア転送装置２１，３１が設置され、さらにメディア転送装置２１，３１は音声通話端末２２，３２を収容（接続）するとともに、ＯＮＵ（Ｏｐｔｉｃａｌ  Ｎｅｔｗｏｒｋ  Ｕｎｉｔ）２３，３３を介して外部ＮＷ４０に接続されている。
【０００５】
メディア転送装置２１，３１は、外部ＮＷ側（以降、ＷＡＮ側と称す。）の入力および出力、音声通話端末側（以降、ＬＡＮ側と称す。）の入力および出力を有し、ＷＡＮ側入力から入力されたメディア信号（この場合、音声メディア信号）をＬＡＮ側出力ヘ転送し、また、ＬＡＮ側入力から入力されたメディア信号をＷＡＮ側出力ヘ転送するメディア転送機能を有する。
【０００６】
音声通話サービスでは、音声通話端末２２から出力されたメディア信号がメディア転送装置２１のＬＡＮ側入力から入力される。メディア転送装置２１では、この入力されたメディア信号をＷＡＮ側出力ヘ転送する。出力されたメディア信号は、ＯＮＵ２３および外部ＮＷ４０を介して相手側宅内ＮＷ３０に到達し、相手側宅内ＮＷ３０内のＯＮＵ３３、メディア転送装置３１を介して相手側音声通話端末３２に送られる。
【０００７】
反対に、相手側音声通話端末３２から出力されたメディア信号は、相手側宅内ＮＷ３０内のメディア転送装置３１、ＯＮＵ３３、並びに外部ＮＷ４０を介して宅内ＮＷ２０に到達し、宅内ＮＷ２０内のＯＮＵ２３を介してメディア転送装置２１のＷＡＮ側入力に入力される。メディア転送装置２１では、この入力されたメディア信号をＬＡＮ側出力ヘ転送し、出力されたメディア信号は音声通話端末２２に到達する。
【０００８】
音声通話サービスの場合、このように、音声通話端末２１から音声通話端末３１に送信されるメディア信号と、音声通話端末３１から音声通話端末２１に送信されるメディア信号とが相互にやりとりされ、音声通話が成立する。
【０００９】
このため、メディア転送装置２１，３１内でのメディア転送処理遅延が大きくなると、音声通話端末２２，３２間の音声のやりとりの遅延が大きくなり、音声通話の快適性を損なってしまう。このことから、音声通話サービスでは、メディア転送装置２１，３１には、処理遅延が小さい特性を有する終端モデルを利用したメディア転送機能を保有するものを使用していた。
【００１０】
図３は従来のメディア転送装置を用いたメディアサービスの他の例、ここでは画像通話サービスの例を示すもので、図中、２０は宅内ＮＷ、４０は外部ＮＷ、５０は画像通話サービスの対向側の宅内ＮＷである。
【００１１】
宅内ＮＷ２０，５０にはそれぞれメディア転送装置２１ｂ，５１が設置され、さらにメディア転送装置２１ｂ，５１は画像通話端末２４，５２を収容（接続）するとともに、ＯＮＵ２３，５３を介して外部ＮＷ４０に接続されている。
【００１２】
メディア転送装置２１ｂ，５１は、ＷＡＮ側の入力および出力、画像通話端末側（以降、ＬＡＮ側と称す。）の入力および出力を有し、ＷＡＮ側入力から入力されたメディア信号（この場合、画像・音声メディア信号）をＬＡＮ側出力ヘ転送し、また、ＬＡＮ側入力から入力されたメディア信号をＷＡＮ側出力ヘ転送するメディア転送機能を有する。
【００１３】
画像通話サービスでは、画像通話端末２４から出力されたメディア信号がメディア転送装置２１ｂのＬＡＮ側入力から入力される。メディア転送装置２１ｂでは、この入力されたメディア信号をＷＡＮ側出力ヘ転送する。出力されたメディア信号は、ＯＮＵ２３および外部ＮＷ４０を介して相手側宅内ＮＷ５０に到達し、相手側宅内ＮＷ５０内のＯＮＵ５３、メディア転送装置５１を介して相手側画像通話端末５２に送られる。
【００１４】
反対に、相手側画像通話端末５２から出力されたメディア信号は、相手側宅内ＮＷ５０内のメディア転送装置５１、ＯＮＵ５３、並びに外部ＮＷ４０を介して宅内ＮＷ２０に到達し、宅内ＮＷ２０内のＯＮＵ２３を介してメディア転送装置２１ｂのＷＡＮ側入力に入力される。メディア転送装置２１ｂでは、この入力されたメディア信号をＬＡＮ側出力ヘ転送し、出力されたメディア信号は画像通話端末２４に到達する。
【００１５】
画像通話サービスの場合、このように、画像通話端末２４から画像通話端末５２に送信されるメディア信号と、画像通話端末５２から画像通話端末２４に送信されるメディア信号とが相互にやりとりされ、画像通話が成立する。
【００１６】
このため、メディア転送装置２１ｂ，５１内でのメディア転送処理遅延が大きくなると、画像通話端末２４，５２間の画像・音声のやりとりの遅延が大きくなり、画像通話の快適性を損なってしまう。このことから、画像通話サービスでは、メディア転送装置２１ｂ，５１には、音声通話サービスの場合と同様、処理遅延が小さい特性を有する終端モデルを利用したメディア転送機能を保有するものを使用する。
【００１７】
図４は従来のメディア転送装置を用いたメディアサービスのさらに他の例、ここでは映像配信サービスの例を示すもので、図中、２０は宅内ＮＷ、４０は外部ＮＷ、６１は映像配信サーバである。
【００１８】
宅内ＮＷ２０にはメディア転送装置２１ｃが設置され、さらにメディア転送装置２１ｃは映像配信端末２５を収容（接続）するとともに、ＯＮＵ２３を介して外部ＮＷ４０に接続されている。また、映像配信サーバ６１は外部ＮＷ４０に接続されている。
【００１９】
メディア転送装置２１ｃは、ＷＡＮ側の入力および出力、映像配信端末側（以降、ＬＡＮ側と称す。）の入力および出力を有し、ＷＡＮ側入力から入力されたメディア信号（この場合、映像・音声メディア信号）をＬＡＮ側出力ヘ転送し、また、ＬＡＮ側入力から入力されたメディア信号をＷＡＮ側出力ヘ転送するメディア転送機能を有する。
【００２０】
映像配信サービスでは、映像配信サーバ６１から配信された配信メディア信号が外部ＮＷ４０を介して宅内ＮＷ２０に到達し、宅内ＮＷ２０内のＯＮＵ２３を介してメディア転送装置２１ｃのＷＡＮ側入力に入力される。メディア転送装置２１ｃでは、この入力されたメディア信号をＬＡＮ側出力ヘ転送し、出力されたメディア信号は映像配信端末２５に到達する。以上のようにして映像配信が成立する。
【００２１】
映像配信サービスの場合、配信サーバ６１から映像配信端末２５へメディアを転送する一方向の転送であるため、処理遅延が大きくてもサービス性には影響はない。代わりに、音声通信や通常の画像通信の場合と比較して大量のデータを配信するため、大量のデータを確実に転送することができる高い転送性能が重要になる。
【００２２】
こうした特性を有する方式としては、ルーティングモデル方式もしくは連動ＮＡＰＴモデル方式がある。さらに、ルーティングモデルは、メディア転送装置配下の端末がグローバルアドレスを保有している場合の転送モデルであり、連動ＮＡＰＴモデルは、メディア転送装置配下の端末にプライベートアドレスを割り付け、メディア転送装置においてグローバルアドレスとプライベートアドレスを変換する必要がある場合の転送モデルである。
【００２３】
このため、メディア転送装置２１ｃとしては、配下の端末がグローバルアドレスを保有している場合はルーティングモデルを有するメディア転送装置を使用し、また、配下の端末がグローバルアドレスを保有しておらず、メディア転送装置において配下の端末にプライベートアドレスを割り付け、グローバルアドレスとプライベートアドレスを変換する必要がある場合は、連動ＮＡＰＴモデルを有するメディア転送装置を使用する。
【００２４】
このように、従来は、使用するメディア端末に合わせたメディア転送機能を有するメディア転送装置を準備しておく必要があった。
【特許文献１】特開２００５−２５２４７７号公報
【発明の開示】
【発明が解決しようとする課題】
【００２５】
次世代ネットワークの構築が進み、広帯域で複数サービスの同時使用が可能なネットワーク環境が整いつつあるが、こうしたネットワーク環境のメリットを享受するため、これまで別々に使用していた複数のメディア端末を同時使用することが可能になった。
【００２６】
しかし、それぞれのメディア端末が必要とするメディア転送機能が異なる場合、従来の方法では、各メディア端末に合ったメディア転送機能をそれぞれ有するメディア転送装置を複数種類、準備する必要があった。
【００２７】
これを解消する方法として、終端モデル・ルーティングモデル・連動ＮＡＰＴモデルの全てのメディア転送機能（メディア転送方式）に対応させ、ＳＩＰ情報などを解析することにより、メディア端末に合わせて適切なメディア転送方式を選択し、メディア転送を行う方法が考えられる。ただし、この方法の場合、毎回、即ちメディア転送を実施する度にメディア転送方式を選択する必要があるため、方式が固定している場合に比べ、判定の負荷がかかるという問題がある。
【００２８】
例えば、メディア転送装置配下に１種類のメディア転送方式の端末のみを接続する場合は、該当するメディア転送方式に固定してメディア転送を行えば良いが、上記方法では、毎回、メディア転送方式を選定するための負荷がかかるという第一の問題があった。
【００２９】
また、メディア転送装置を使用する際、配下に端末を接続すると、その接続系を使い続けるのが一般的であるが、このようにポートと転送方式が固定で決定するような場合にも、上記方法では、毎回、メディア転送方式を選定するための負荷がかかるという第二の問題があった。
【００３０】
本発明は、以上の問題を解消し、メディア転送方式の異なる複数のメディア端末を収容可能であり、かつ実際に収容したメディア端末によってはメディア転送を実施する度にそのメディア転送方式を判定するための負荷がかからないメディア転送方法、その装置およびプログラムを提供するものである。
【課題を解決するための手段】
【００３１】
前記課題を解決するため、本発明では、コンピュータを用いて、複数の異なるメディア転送方式によるメディア転送を実施するメディア転送方法であって、前記コンピュータに、一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付けるステップと、一括固定モードが選択入力された場合、前記指定入力されたメディア転送方式によるメディア転送を実施するステップと、ポート指定モードが選択入力された場合、メディア信号が入力するポートに対応して前記指定入力されたメディア転送方式によるメディア転送を実施するステップと、自動モードが選択入力された場合、メディア転送前のＳＩＰ／ＳＤＰ信号を解析してメディア転送方式を決定し、該決定したメディア転送方式に従ってＳＤＰ部からメディア転送に必要な転送情報を抽出し、前記メディア転送方式および転送情報によるメディア転送を実施するステップとを実行させるメディア転送方法を提案する。
【００３２】
また、本発明では、複数の異なるメディア転送方式によるメディア転送を実施するメディア転送装置であって、一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付けるモード選択部と、一括固定モードが選択入力された場合、前記指定入力されたメディア転送方式によるメディア転送を実施する一括固定モードメディア転送手段と、ポート指定モードが選択入力された場合、メディア信号が入力するポートに対応して前記指定入力されたメディア転送方式によるメディア転送を実施するポート指定モードメディア転送手段と、自動モードが選択入力された場合、メディア転送前のＳＩＰ／ＳＤＰ信号を解析してメディア転送方式を決定し、該決定したメディア転送方式に従ってＳＤＰ部からメディア転送に必要な転送情報を抽出し、前記メディア転送方式および転送情報によるメディア転送を実施する自動モードメディア転送手段とを具備するメディア転送装置を提案する。
【００３３】
また、本発明では、複数の異なるメディア転送方式によるメディア転送を実施するメディア転送装置であって、モード切替部と、ＳＩＰスタック制御機能部と、Ｂ２ＢＵＡ制御機能部と、メディア転送機能部とよりなり、モード切替部は、一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付け、一括固定モードが選択入力された場合は指定入力されたメディア転送方式をメディア転送機能部に転送するとともに「０」に設定したフラグをＳＩＰスタック制御機能部およびメディア転送機能部に転送し、ポート指定モードが選択入力された場合は指定入力されたメディア信号が入力するポートおよびこれに対応するメディア転送方式をメディア転送機能部に転送するとともに「１」に設定したフラグをＳＩＰスタック制御機能部およびメディア転送機能部に転送し、自動モードが選択入力された場合は「２」に設定したフラグをＳＩＰスタック制御機能部およびメディア転送機能部に転送する機能を備え、ＳＩＰスタック制御機能部は、「２」に設定したフラグを受信した場合のみ、メディア転送前のＳＩＰ／ＳＤＰ信号をＢ２ＢＵＡ制御機能部へ転送する機能を備え、Ｂ２ＢＵＡ制御機能部は、ＳＩＰスタック制御機能部から転送されてきたＳＩＰ／ＳＤＰ信号よりＳＤＰ部を抽出し、該抽出したＳＤＰ部の情報を解析してメディア転送方式を決定し、該決定したメディア転送方式に応じて前記ＳＤＰ部からメディア転送に必要な転送情報を抽出し、該抽出した転送情報を前記決定したメディア転送方式とともにメディア転送機能部に転送する機能を備え、メディア転送機能部は、「０」に設定したフラグを受信した場合は、モード切替部から転送されてきたメディア転送方式によるメディア転送を実施し、「１」に設定したフラグを受信した場合は、モード切替部から転送されてきたメディア信号が入力するポートおよびこれに対応するメディア転送方式のうち転送すべきメディア信号が入力されたポートに対応するメディア転送方式によるメディア転送を実施し、「２」に設定したフラグを受信した場合は、Ｂ２ＢＵＡ制御機能部から転送されてきたメディア転送方式および転送情報によるメディア転送を実施する機能を備えるメディア転送装置を提案する。
【００３４】
また、本発明では、コンピュータに、請求項３に記載の各機能を実現させるためのプログラムを提案する。
【発明の効果】
【００３５】
本発明は、事前に選択された動作モードに従い、指定されたメディア転送方式（１種類）でメディア転送を実施する、あるいは、メディア信号が入力するポートに対応して指定されたメディア転送方式でメディア転送を実施する、もしくは、ＳＤＰの内容に応じて適切なメディア転送方式を自動的に決定してメディア転送を実施することを特徴とする。
【００３６】
これにより、メディア転送方式の異なる複数のメディア端末を一つのメディア転送装置の配下に同時に収容可能となり、かつ、端末固定で使用する場合は、メディア転送方式を指定することにより、判定の負荷を減らすことができる方式である。その結果、メディア転送装置配下に１種類のメディア転送方式の端末のみを接続する場合は、一括でメディア転送方式を事前に指定することにより、毎回方式を選定するために負荷がかかる、という第一の課題を解決することができる。また、メディア転送装置の使用方法として、ポートとメディア転送方式との対応が固定で決定している場合には、ポートとメディア転送方式との対応を事前に指定しておくことにより、毎回方式を選定するために負荷がかかる、という第二の課題を解決することができる。
【００３７】
このように、本発明によれば、多種のメディア端末を同時収容することができ、その結果、ＮＧＮ（Ｎｅｘｔ  Ｇｅｎｅｒａｔｉｏｎ  Ｎｅｔｗｏｒｋ）のサービスのメリットを享受することができる上、指定パラメータを用いてメディア転送方式を固定にすることにより、判定負荷を減らすことができる。
【発明を実施するための最良の形態】
【００３８】
図１は本発明のメディア転送装置の実施の形態の一例を示すもので、このメディア転送装置１０は、モード切替部１１と、ＳＩＰスタック制御機能部１２と、Ｂ２ＢＵＡ制御機能部１３と、メディア転送機能部１４とよりなる。
【００３９】
モード切替部１１は、キーボードなどの入力装置（図示せず）からの３種類の動作モード、即ち一括固定モード・ポート指定モード・自動モードのうちのいずれかの動作モードの選択入力とともに、一括固定モードについてはメディア転送方式の指定入力を、ポート指定モードについてはメディア信号が入力するポートおよびこれに対応するメディア転送方式の指定入力を受け付け、一括固定モードが選択入力された場合は指定入力されたメディア転送方式をメディア転送機能部１４に転送するとともに「０」に設定したフラグをＳＩＰスタック制御機能部１２およびメディア転送機能部１４に転送し、ポート指定モードが選択入力された場合は指定入力されたメディア信号が入力するポートおよびこれに対応するメディア転送方式をメディア転送機能部１４に転送するとともに「１」に設定したフラグをＳＩＰスタック制御機能部１２およびメディア転送機能部１４に転送し、自動モードが選択入力された場合は「２」に設定したフラグをＳＩＰスタック制御機能部１２およびメディア転送機能部１４に転送する。
【００４０】
モード切替部１１における動作を、図５のフローに従って説明する。
【００４１】
まず、モード切替部１１に選択入力された動作モードを確認（判定）する（ステップｓ１）。
【００４２】
一括固定モードが選択入力された場合は、モード切替部１１からメディア転送機能部１４に「０」に設定したフラグと指定入力されたメディア転送方式を転送する（ステップｓ２）。また、モード切替部１１からＳＩＰスタック制御機能部１２に「０」に設定したフラグを転送する（ステップｓ３）。
【００４３】
ポート指定モードが選択入力された場合は、モード切替部１１からメディア転送機能部１４に「１」に設定したフラグと指定入力されたメディア信号が入力するポートおよびこれに対応する固定のメディア転送方式を転送する（ステップｓ４）。また、モード切替部１１からＳＩＰスタック制御機能部１２に「１」に設定したフラグを転送する（ステップｓ５）。
【００４４】
自動モードが選択入力された場合は、モード切替部１１からメディア転送機能部１４とＳＩＰスタック制御機能部１２に「２」に設定したフラグを転送する（ステップｓ６）。
【００４５】
ＳＩＰスタック制御機能部１２は、モード切替部１１から転送されてきたフラグが「２」の場合、メディア転送前にメディア転送装置配下のメディア端末もしくは対向するメディア端末から入力されたＳＩＰ／ＳＤＰ信号をＢ２ＢＵＡ制御機能部１３に転送する。
【００４６】
なお、ＳＩＰスタック制御機能部１２では、モード切替部１１から転送されてきたフラグが「０」もしくは「１」の場合、以降の動作を実施しない。
【００４７】
ここで、ＳＩＰ（Ｓｅｓｓｉｏｎ  Ｉｎｉｔｉａｔｉｏｎ  Ｐｒｏｔｏｃｏｌ）は、マルチメディアセッションを確立・変更・切断するためのプロトコルであり、リクエスト行・ヘッダ・メッセージボディから構成されている。このうち、メッセージボディには、ＳＤＰ（Ｓｅｓｓｉｏｎ  Ｄｅｓｃｒｉｐｔｉｏｎ  Ｐｒｏｔｏｃｏｌ）というプロトコルによってマルチメディアセッションに関する情報が記述されている。例えば、ｍ＝“値”の形式で、メディアについての情報としてメディアの種類（audio,video,textなど）、メディアを受信するポート番号、メディア受信に用いるトランスポートプロトコル（ＲＴＰ、ＴＣＰなど）が記述される。また、例えば、ｃ＝“値”の形式で、コネクション情報としてネットワーク種別、ＩＰバージョン（ＩＰｖ４、ＩＰｖ６など）、メディアを受信するＩＰアドレスが記述される。
【００４８】
Ｂ２ＢＵＡ制御機能部１３は、さらに、Ｂ２ＢＵＡ処理機能部１５と、ＳＤＰ処理機能部１６と、メディア転送制御機能部１７とよりなる。
【００４９】
Ｂ２ＢＵＡ処理機能部１５は、ＳＩＰスタック制御機能部１２から転送されてきたＳＩＰ／ＳＤＰ信号よりＳＤＰ部を抽出し、該抽出したＳＤＰ部の情報をＳＤＰ処理機能部１６に転送する。ＳＤＰ処理機能部１６は、Ｂ２ＢＵＡ処理機能部１５から転送されてきたＳＤＰ部の情報を解析してメディア転送方式（メディア転送モデル）を決定し、該決定したメディア転送モデルをＢ２ＢＵＡ処理機能部１５へ転送する。
【００５０】
ＳＤＰ処理機能部１６におけるメディア転送モデルを決定する動作を、図６のフローに従って説明する。
【００５１】
まず、Ｂ２ＢＵＡ処理機能部１５から転送されてきたＳＤＰ部の情報のうち、Ｃ行のＩＰバージョンのチェックを行い、ＩＰｖ４かＩＰｖ６かの区別を行う（ステップｓ１１，ｓ１２）。ここで、Ｃ行のＩＰバージョンがＩＰｖ６であれば、ルーティングモデルをメディア転送モデルに決定する（ステップｓ１３）。
【００５２】
一方、Ｃ行のＩＰバージョンがＩＰｖ４であれば、さらにＳＤＰ部の情報のうち、ｍ行のトランスポートのチェックを行い、ＲＴＰ／ＡＶＰかそれ以外かの区別を行う（ステップｓ１４，ｓ１５）。この際、ｍ行のトランスポートがＲＴＰ／ＡＶＰであれば、終端モデルをメディア転送モデルに決定する（ステップｓ１６）。また、ｍ行のトランスポートがＲＴＰ／ＡＶＰ以外であれば、連動ＮＡＰＴモデルをメディア転送モデルに決定する（ステップｓ１７）。
【００５３】
最後に、ステップｓ１３，ｓ１６，ｓ１７で決定したメディア転送モデルの情報をＳＤＰ処理機能部１６からＢ２ＢＵＡ処理機能部１５へ転送する（ステップｓ１８）。
【００５４】
また、Ｂ２ＢＵＡ処理機能部１５は、ＳＤＰ処理機能部１６からメディア転送モデルの情報を受信すると、このメディア転送モデルを前記ＳＤＰ部とともにメディア転送制御機能部１７に転送する。
【００５５】
メディア転送制御機能部１７は、Ｂ２ＢＵＡ処理機能部１５から転送されてきた転送モデルに応じてＳＤＰ部からメディア転送に必要な転送情報を抽出し、該抽出した転送情報を前記決定したメディア転送モデルとともにメディア転送機能部１３に転送する。
【００５６】
メディア転送制御機能部１７における転送情報を抽出する動作を、図７のフローに従って説明する。
【００５７】
まず、Ｂ２ＢＵＡ処理機能部１５から転送されてきたメディア転送モデルを確認（判定）する（ステップｓ２１）。
【００５８】
メディア転送モデルが終端モデルの場合、ＳＤＰ部からメディア転送装置配下のメディア端末および対向するメディア端末のメディアを受信するＩＰアドレス・ポート番号の情報を抽出する（ステップｓ２２）。また、メディア転送モデルが連動ＮＡＰＴモデルの場合、ＳＤＰ部から対向するメディア端末のメディアを受信するＩＰアドレス・ポート番号の情報を抽出する（ステップｓ２３）。さらにまた、ステップｓ２２，ｓ２３で抽出したメディア転送に必要な転送情報を、Ｂ２ＢＵＡ処理機能部１５から転送されてきたメディア転送モデルとともにメディア転送機能部１４へ送信する（ステップｓ２４）。
【００５９】
なお、Ｂ２ＢＵＡ処理機能部１５から転送されてきたメディア転送モデルがルーティングモデルの場合は、当該メディア転送モデル（ルーティングモデル）のみメディア転送機能部１４へ送信する（ステップｓ２５）。
【００６０】
メディア転送機能部１４は、モード切替部１１もしくはＢ２ＢＵＡ制御機能部１３のメディア転送制御機能部１７から転送されてきたフラグ・転送モデル・転送情報により、メディア転送およびＳＤＰ書き換えを行い、書き換えを行ったＳＤＰ部をＢ２ＢＵＡ制御機能部１３のメディア転送制御機能部１７およびＢ２ＢＵＡ処理機能部１５を経由して、ＳＩＰスタック制御機能部１２へ転送する。
【００６１】
メディア転送機能部１４におけるメディア転送およびＳＤＰ書き換えを行う動作を、図８のフローに従って説明する。
【００６２】
まず、モード切替部１１から転送されてきたフラグを確認（判定）し（ステップｓ３１）、フラグが「０」の場合、モード切替部１１から転送されてきたメディア転送モデルを確認する（ステップｓ３２）。フラグが「１」の場合、モード切替部１１から転送されてきたポートとメディア転送モデルの対応を確認し、送られてきたメディア信号のポートに対応するメディア転送モデルを確認する（ステップｓ３３）。フラグが「２」の場合、メディア転送制御機能部１７から転送されてきたメディア転送モデルを確認する（ステップｓ３４）。
【００６３】
ステップｓ３２，ｓ３３，ｓ３４で確認したメディア転送モデルに従い、以降の作業を行う。
【００６４】
メディア転送モデルが終端モデルであった場合、ＳＩＰ／ＳＤＰ信号の方向を確認し（ステップｓ３５）、ＬＡＮ側からＷＡＮ側に転送されるＳＩＰ／ＳＤＰ信号の場合は、ＳＤＰ部のｃ／ｍ−ｌｉｎｅに記述されているメディア転送装置配下のメディア端末のメディアを受信するＩＰアドレス・ポート番号を、メディア転送装置のＷＡＮ側のメディアを受信するＩＰアドレス・ポート番号に書き換え、Ｂ２ＢＵＡ制御機能部１３を経由してＳＩＰスタック制御機能部１２へ転送し（ステップｓ３６）、ＷＡＮ側からＬＡＮ側に転送されるＳＩＰ／ＳＤＰ信号の場合は、ＳＤＰ部のｃ／ｍ−ｌｉｎｅに記述されている対向するメディア端末のメディアを受信するＩＰアドレス・ポート番号を、メディア転送装置のＬＡＮ側のメディアを受信するＩＰアドレス・ポート番号に書き換え、Ｂ２ＢＵＡ制御機能部１３を経由してＳＩＰスタック制御機能部１２へ転送する（ステップｓ３７）。
【００６５】
ＳＩＰスタック制御機能部１２では、Ｂ２ＢＵＡ制御機能部１３から転送されてくるＳＤＰ部をＳＩＰ信号に組立てて、ＬＡＮ側からＷＡＮ側に転送されてきたＳＩＰ／ＳＤＰ信号の場合は、メディア転送装置のＷＡＮ側へ出力し、ＷＡＮ側からＬＡＮ側に転送されてきたＳＩＰ／ＳＤＰ信号の場合は、メディア転送装置のＬＡＮ側へ出力する。
【００６６】
メディア転送装置のＷＡＮ側に出力されたＳＩＰ／ＳＤＰ信号は、対向するメディア端末が受け取り、メディア転送装置のＬＡＮ側に出力されたＳＩＰ／ＳＤＰ信号は、メディア転送装置配下のメディア端末が受け取る。このように、メディア転送装置配下のメディア端末と対向するメディア端末との間で、ＳＩＰ信号／ＳＤＰ信号を相互に交換することによりセッション（通信）を確立する。
【００６７】
セッション確立後、メディア転送装置１０のメディア転送機能部１４では、ＷＡＮ側からメディア転送装置のＷＡＮ側のメディアを受信するＩＰアドレス・ポート番号に転送されてきたメディア信号を、メディア転送装置配下のメディア端末のメディアを受信するＩＰアドレス・ポート番号に転送し、ＬＡＮ側からメディア転送装置のＬＡＮ側のメディアを受信するＩＰアドレス・ポート番号に転送されてきたメディア信号を、対向するメディア端末のメディアを受信するＩＰアドレス・ポート番号に転送する（ステップｓ３８）。
【００６８】
メディア転送モデルが連動ＮＡＰＴモデルであった場合、ＳＩＰ／ＳＤＰ信号の方向を確認し（ステップｓ３９）、ＬＡＮ側からＷＡＮ側に転送されるＳＩＰ／ＳＤＰ信号の場合は、ＳＤＰ部のｃ／ｍ−ｌｉｎｅに記述されているメディア転送装置配下のメディア端末のメディアを受信するＩＰアドレス・ポート番号を、メディア転送装置のＷＡＮ側のメディアを受信するＩＰアドレス・ポート番号に書き換え、Ｂ２ＢＵＡ制御機能部１３を経由してＳＩＰスタック制御機能部１２へ転送し（ステップｓ４０）、ＷＡＮ側からＬＡＮ側に転送されるＳＩＰ／ＳＤＰ信号の場合は、ＳＤＰ部のｃ／ｍ−ｌｉｎｅに記述されている対向するメディア端末のメディアを受信するＩＰアドレス・ポート番号を、Ｂ２ＢＵＡ制御機能部１３を経由してＳＩＰスタック制御機能部１２へ透過転送する（ステップｓ４１）。
【００６９】
ＳＩＰスタック制御機能部１２では、Ｂ２ＢＵＡ制御機能部１３から転送されてくるＳＤＰ部をＳＩＰ信号に組立てて、ＬＡＮ側からＷＡＮ側に転送されてきたＳＩＰ／ＳＤＰ信号の場合は、メディア転送装置のＷＡＮ側へ出力し、ＷＡＮ側からＬＡＮ側に転送されてきたＳＩＰ／ＳＤＰ信号の場合は、メディア転送装置のＬＡＮ側へ出力する。
【００７０】
メディア転送装置のＷＡＮ側に出力されたＳＩＰ／ＳＤＰ信号は、対向するメディア端末が受け取り、メディア転送装置のＬＡＮ側に出力されたＳＩＰ／ＳＤＰ信号は、メディア転送装置配下のメディア端末が受け取る。このように、メディア転送装置配下のメディア端末と対向するメディア端末との間で、ＳＩＰ信号／ＳＤＰ信号を相互に交換することによりセッション（通信）を確立する。
【００７１】
セッション確立後、メディア転送装置１０のメディア転送機能部１４では、ＷＡＮ側からメディア転送装置のＷＡＮ側のメディアを受信するＩＰアドレス・ポート番号に転送されてきたメディア信号を、メディア転送装置配下のメディア端末のメディアを受信するＩＰアドレス・ポート番号に転送し、ＬＡＮ側から対向するメディア端末のメディアを受信するＩＰアドレス・ポート番号に転送されてきたメディア信号をそのまま転送する（ステップｓ４２）。
【００７２】
メディア転送モデルがルーティングモデルであった場合、ＳＤＰ部のｃ／ｍ−ｌｉｎｅに記述されている、メディア転送装置配下のメディア端末のメディアを受信するＩＰアドレス・ポート番号、および対向するメディア端末のメディアを受信するＩＰアドレス・ポート番号を、Ｂ２ＢＵＡ制御機能部１３を経由してＳＩＰスタック制御機能部１２へ透過転送する（ステップｓ４３）。
【００７３】
ＳＩＰスタック制御機能部１２では、Ｂ２ＢＵＡ制御機能部１３から転送されてくるＳＤＰ部をＳＩＰ信号に組立てて、ＬＡＮ側からＷＡＮ側に転送されてきたＳＩＰ／ＳＤＰ信号の場合は、メディア転送装置のＷＡＮ側へ出力し、ＷＡＮ側からＬＡＮ側に転送されてきたＳＩＰ／ＳＤＰ信号の場合は、メディア転送装置のＬＡＮ側へ出力する。
【００７４】
メディア転送装置のＷＡＮ側に出力されたＳＩＰ／ＳＤＰ信号は、対向するメディア端末が受け取り、メディア転送装置のＬＡＮ側に出力されたＳＩＰ／ＳＤＰ信号は、メディア転送装置配下のメディア端末が受け取る。このように、メディア転送装置配下のメディア端末と対向するメディア端末との間で、ＳＩＰ信号／ＳＤＰ信号を相互に交換することによりセッション（通信）を確立する。
【００７５】
セッション確立後、メディア転送装置１０のメディア転送機能部１４では、ＷＡＮ側からメディア転送装置配下のメディア端末のメディアを受信するＩＰアドレス・ポート番号に転送されてきたメディア信号をそのまま転送し、ＬＡＮ側から対向するメディア端末のメディアを受信するＩＰアドレス・ポート番号に転送されてきたメディア信号をそのまま転送する（ステップｓ４４）。
【００７６】
以下、図９，１０，１１を参照して本発明の効果について説明するが、図中、図１乃至図４と同一構成部分については同一符号をもって表す。即ち、１０はメディア転送装置、１１はモード切替部、１２はＳＩＰスタック制御機能部、１３はＢ２ＢＵＡ制御機能部、１４はメディア転送機能部、２０は宅内ＮＷ、３０は音声通話サービスの対向側の宅内ＮＷ、４０は外部ＮＷ、５０は画像通話サービスの対向側の宅内ＮＷ、２３，３３，５３はＯＮＵ、２２，３２は音声通話端末、２４，５２は画像通話端末、２５１はプライベートアドレスの映像配信端末、２５２はグローバルアドレスの映像配信端末、６１１，６１２は映像配信サーバである。
【００７７】
ここで、音声通話端末２２，３２、画像通話端末２４，５２は、リアルタイム通話サービスを提供するため、終端モデルを取る必要がある端末とする。また、映像配信端末２５１は、転送性能を確保する必要がある上、グローバルアドレスとプライベートアドレスの変換が必要なため、連動ＮＡＰＴモデルを取る必要がある端末とする。さらにまた、映像配信端末２５２は、転送性能を確保する必要があり、グローバルアドレスとプライベートアドレスの変換が必要でないため、ルーティングモデルを取る必要がある端末とする。
【００７８】
図９に示すように、終端モデルの音声通話端末２２，３２のみ使用する場合は、一括固定モードを選択し、終端モデルを指定することにより、メディア転送方式の判定が必要なくなる。このため、判定負荷がかかることなく使用することができる。
【００７９】
また、図１０に示すように、終端モデルの音声通話端末２２、連動ＮＡＰＴモデルの映像配信端末２５１、ルーティングモデルの映像配信端末２５２を使用する場合で、かつ、ポートと端末の対応が固定の場合は、ポート指定モードを選択し、使用するポートとメディア転送モデルの対応を指定することにより、メディア転送方式の判定が必要なくなる。このため、判定負荷がかかることなく使用することができる。
【００８０】
また、図１１に示すように、終端モデルの音声通話端末２２、連動ＮＡＰＴモデルの映像配信端末２５１、ルーティングモデルの映像配信端末２５２を使用する場合で、かつ、端末の付け替えなどの可能性がある場合は、自動モードを選択し、ＳＩＰ信号から自動的に適切なモデルを選定し、メディアのやりとりを行うようにすることで、設定無しに、複数のメディア転送方式の端末を同時接続することができる。
【００８１】
なお、請求項でいうモード選択部は前述したモード切替部１１によって構成され、また、請求項でいう一括固定モードメディア転送手段は前述したモード切替部１１およびメディア転送機能部１４によって構成され、また、請求項でいうポート指定モードメディア転送手段は前述したモード切替部１１およびメディア転送機能部１４によって構成され、また、請求項でいう自動モードメディア転送手段は前述したモード切替部１１、ＳＩＰスタック制御機能部１２、Ｂ２ＢＵＡ制御機能部１３およびメディア転送機能部１４によって構成される。
【００８２】
また、前述したメディア転送装置は、周知のコンピュータに媒体もしくは通信回線を介して、図５乃至図８のフローチャートに示された手順を備えるプログラムをインストールすることによっても実現可能である。
【図面の簡単な説明】
【００８３】
【図１】本発明のメディア転送装置の実施の形態の一例を示す構成図
【図２】従来のメディア転送装置を用いたメディアサービスの一例を示す説明図
【図３】従来のメディア転送装置を用いたメディアサービスの他の例を示す説明図
【図４】従来のメディア転送装置を用いたメディアサービスのさらに他の例を示す説明図
【図５】モード切替部の動作フローチャート
【図６】ＳＤＰ処理機能部の動作フローチャート
【図７】メディア転送制御機能部の動作フローチャート
【図８】メディア転送機能部の動作フローチャート
【図９】本発明の効果を説明する図
【図１０】本発明の他の効果を説明する図
【図１１】本発明のさらに他の効果を説明する図
【符号の説明】
【００８４】
１０：メディア転送装置、１１：モード切替部、１２：ＳＩＰスタック制御機能部、１３：Ｂ２ＢＵＡ制御機能部、１４：メディア転送機能部、１５：Ｂ２ＢＵＡ処理機能部、１６：ＳＤＰ処理機能部、１７：メディア転送制御機能部。
【図１】
2009044314.tif 000003
【図２】
2009044314.tif 000004
【図３】
2009044314.tif 000005
【図４】
2009044314.tif 000006
【図５】
2009044314.tif 000007
【図６】
2009044314.tif 000008
【図７】
2009044314.tif 000009
【図８】
2009044314.tif 000010
【図９】
2009044314.tif 000011
【図１０】
2009044314.tif 000012
【図１１】
2009044314.tif 000013